(57)【特許請求の範囲】
【請求項１】
回転ディスクフィルター（１）における少なくとも１つのフィルター要素（３）のフィルターの布（４）を洗浄するための装置であって、概して２つの隣接した平行な前記フィルター要素（３）間に中心軸線（７）が配置された少なくとも１つの吐出チューブ（６）と、それぞれの前記フィルターの布（４）へと向かう方向以外の方向において配置された少なくとも１つの流出口（９）と、該流出口（９）へと接続された少なくとも１つの噴出ノズル（５）と、を具備し、前記噴出ノズル（５）への接続部（１３）が、前記フィルター要素（３）に対して概して平行に延在する装置において、
前記噴出ノズル（５）が、前記フィルター要素（３）の前記フィルターの布（４）へと向かう方向における洗浄する液体の吐出のための曲げられた偏向溝（１４）を有し、複数の前記噴出ノズル（５）が、前記吐出チューブ（６）の周りに対に配置され、且つ、前記噴出ノズル（５）の流出口開口部（８）が、それぞれの前記フィルター要素（３）から、２つの隣接した平行な前記フィルター要素（３）間の距離の半分よりも長い距離に配置されて構成されたことを特徴とする装置。
【請求項２】
前記噴出ノズル（５）が、吐出チューブ（６）に直接配置されたことを特徴とする請求項１に記載の装置。
【請求項３】
前記接続部（１３）が、前記吐出チューブ（６）の周りで少なくとも部分的に延在するアダプター（１１）の部分であり、前記噴出ノズル（５）が、前記アダプター（１１）に分離可能に構成されたことを特徴とする請求項１に記載の装置。
【請求項４】
前記流出口（９）が、前記フィルターの布（４）との関係において前記吐出チューブ（６）の遠位側部を通して配置されたことを特徴とする請求項３に記載の装置。
【請求項５】
前記アダプター（１１）が、前記流出口（９）から前記接続部（１３）へと洗浄する液体を案内するための偏向溝（１０）を有することを特徴とする請求項４に記載の装置。
【請求項６】
前記噴出ノズル（５）の前記流出口開口部（８）が、前記フィルターの布（４）へと向かう前記方向との関係において、概して前記吐出チューブ（６）の前記中心軸線（７）の後方に配置されたことを特徴とする請求項１から請求項５のいずれか１つに記載の装置。
【請求項７】
少なくとも１つの前記吐出チューブ（６）が、前記フィルター要素（３）の外周によって画成された領域内で可動である請求項１から請求項６のいずれか１つに記載の装置。
【請求項８】
前記回転ディスクフィルター（１）が、複数の前記フィルター要素（３）を有する請求項１から請求項７のいずれか１つに記載の装置。
【請求項９】
２つの隣接した前記フィルター要素（３）間の間隔が、１６ｃｍより短い、請求項８に記載の装置。
【請求項１０】
前記噴出ノズル（５）の前記流出口開口部（８）が、それぞれの前記フィルターの布（４）から７ｃｍと８ｃｍとの間に配置された請求項１から請求項９のいずれか１つに記載の装置。
【発明の詳細な説明】
【技術分野】
【０００１】
本発明は、回転ディスクフィルターの少なくとも１つのフィルター要素のフィルターの布を洗浄するための装置であって、概して２つの隣接した平行なフィルター要素間に中心軸線が配置された少なくとも１つの吐出チューブと、それぞれのフィルターの布へと向かう方向以外の方向において配置された少なくとも１つの流出口と、流出口へと接続された少なくとも１つの噴出ノズルと、を具備する装置に関する。
【背景技術】
【０００２】
国際公開００／３７１５９において、回転円筒部の１つの端部及び円筒部の外周の開口部を通して少なくとも１つのフィルター要素に径方向外方へと液体が通過されるディスクフィルターが開示されている。それぞれのフィルター要素は、フィルターフレームの両側でフィルターの布によって覆われたフィルターフレームを有する。更にディスクフィルターは、ディスクフィルターの外部端の外側で、ディスクフィルターの中心軸線に対して平行に延在する吐出傾斜を有する。吐出傾斜から、多くのより小さな吐出チューブが、径方向に延在する。吐出チューブは、平行なフィルター要素間に挿入される。加圧された洗浄流体は、存在し得る蓄積物をフィルターの布から浄化するため、吐出傾斜及び吐出チューブを通し、フィルタリング方向の反対方向におけるフィルターの布の表面へと向かう少なくとも１つの噴出ノズルを通して噴射される。蓄積物は、フィルター要素内へと吐出して戻され、蓄積物を迂回させる（diverts）容器へと通される。噴出ノズルは、フィルター要素の同時洗浄のため、２つの平行なフィルター要素へと向けられて構成されてもよい。
【発明の概要】
【発明が解決しようとする課題】
【０００３】
この形式の噴出装置は、ノズルが特により目詰りしたフィルターの布の領域において十分な洗浄効果を与えるために、洗浄流体の十分な拡散が実現されるように、フィルターの布から特定の距離に配置されることを必要とする。
【０００４】
吐出チューブを挿入する間隔を有するため、且つ、その距離にノズルを配置することによって同時に効率よく２つの平行なフィルター要素を洗浄するため、フィルター要素は、互いに特定の距離に配置される必要がある。
【課題を解決するための手段】
【０００５】
本発明の目的は、効率的にフィルター要素を洗浄し且つ２つの平行なフィルター要素間の間隔に挿入され得るコンパクトな構成であるディスクフィルターのための噴出装置を提供することにある。この間隔は、いくつのフィルター要素がディスクフィルターの特定の長さに沿って構成できるかを決定するため、本発明に係る付加的な目的は、この間隔を短くすることによってディスクフィルターの容量を増すことにもある。本発明に係る実施形態によれば、これらの及び他の目的は、回転ディスクフィルターにおける少なくとも１つのフィルター要素のフィルターの布を洗浄するための装置であって、概して２つの隣接した平行なフィルター要素間に中心軸線が配置された少なくとも１つの吐出チューブと、それぞれのフィルターの布へと向かう方向以外の方向において配置された少なくとも１つの流出口と、流出口へと接続された少なくとも１つの噴出ノズルと、を具備し、噴出ノズルへの接続部が、フィルター要素に対して概して平行に延在する装置において、噴出ノズルが、フィルター要素のフィルターの布へと向かう方向における洗浄する液体の吐出のための曲げられた偏向溝を有し、複数の噴出ノズルが、吐出チューブの周りに対に配置され、且つ、噴出ノズルの流出口開口部が、それぞれのフィルター要素から、２つの隣接した平行なフィルター要素間の距離の半分よりも長い距離に配置されて構成される装置によって実現される。噴出ノズルは、対に配置され、且つ、噴出ノズルの流出口開口部が、それぞれのフィルター要素から、２つの隣接した平行なフィルター要素間の距離の半分よりも長い距離に配置されて構成され、複数のフィルターの布又はフィルターの布の大部分は、同時に洗浄される。
【０００６】
噴出ノズルは、吐出チューブに対して直接配置されてもよいが、好適には、接続部は、少なくとも部分的に吐出チューブの周りに延在するアダプターの部分であり、噴出ノズルは、アダプターに分離可能に構成される。こうして、噴出ノズルは、必要に応じて容易に分離され且つ洗浄される。
【０００７】
フィルターの布への距離が吐出チューブの前部に配置された流出口と比較して長くされることを可能とするため、流出口は、そのフィルターの布との関係において吐出チューブの遠位側部を通して配置されてもよい。
【０００８】
好適には、アダプターは、その流出口からその接続部へと洗浄液体を通過させるための偏向溝を有し、洗浄流体の流れ方向は、偏向され、フィルター布へと向かう方向への洗浄流体の吐出のため噴出ノズルへと案内される。
【０００９】
好適には、噴出ノズルの流出口開口部は、概してフィルター布へと向かう方向との関係において吐出チューブの中心軸線の後方に配置され、更にフィルター要素間の距離を減らす可能性を増す。
【００１０】
好適には、少なくとも１つの吐出チューブは、フィルター要素の外周によって画成された領域を通して可動である。こうして、フィルター要素の全表面の洗浄が可能となる。ディスクフィルターは、複数のフィルター要素を具備し、大きな体積の液体が同時にフィルタリングされ得るため、より効果的なディスクフィルターとなる。
【００１１】
２つの隣接したフィルター要素間の間隔は、１６ｃｍより短く、好適には、１２ｃｍより短い。公知のディスクフィルターにおいて、１６ｃｍは、概してディスクフィルターのフィルター要素間の最短距離である。この装置によって、フィルター要素間の距離は、短くされることができ、ディスクフィルターの維持された長さで容量を増したディスクフィルターが実現され、或いは、それとは別に、維持された容量でより短いディスクフィルターが実現される。好適には、噴出ノズルの流出口開口部は、フィルターの布から７ｃｍと８ｃｍとの間に配置される。この距離において、洗浄は、適した拡散及び洗浄流体の適した圧力によって効果的となる。
【００１２】
ここで本発明は、例示によって本発明に係る好適な実施形態を示す添付の概略図を参照しつつ以下でより詳細に説明される。
【図面の簡単な説明】
【００１３】
【図１】ディスクフィルターの２つの平行なフィルター要素間に配置され且つ本発明によって構成された装置を概略的に示した図である。
【図２ａ】図１に示されたアダプター及び噴出ノズルの側面図である。
【図２ｂ】図１に示されたアダプター及び噴出ノズルの側面図である。
【図２ｃ】図１に示されたアダプター及び噴出ノズルの側面図である。
【図２ｄ】図１に示されたアダプター及び噴出ノズルの側面図である。
【図３】本発明によってディスクフィルターの２つのフィルター要素間に別の方法で配置された２つの吐出チューブを備える装置を概略的に示す図である。
【発明を実施するための形態】
【００１４】
ディスクフィルターの基本原理は、フィルタリングされる流体が、中央の、回転円筒部の端部を通り、且つ、円筒部の、少なくとも１つのフィルター要素に対して径方向外方の周縁部における開口部を通って案内される。フィルター要素は、フレームの両側にフィルターの布が配置されたフレームで構成される。従って、液体は、２つのフィルターの布間に流入し、そこからフィルタリング方向においてそれぞれのフィルターの布を通って案内される。液体内のいかなる粒子もフィルターの布の内側において収集される。
【００１５】
図１及び図３において、ディスクフィルター１の部分は、洗浄装置２を具備して示される。フィルターの布４からのいかなる蓄積物をも浄化するため、加圧された洗浄流体は、洗浄装置２を通して通過し、フィルタリング方向とは反対の方向でフィルター要素３のフィルターの布４へと噴出される。蓄積物は、フィルター要素３内へと吐出して戻され、蓄積物を迂回させる（diverts）容器(trough)（図示せず）へと案内される。
【００１６】
回転ディスクフィルター１における少なくとも１つのフィルター要素３においてフィルター布４を洗浄するための本発明に係る洗浄装置２は、少なくとも１つの吐出チューブ６であって、その中心軸線７が概して２つの隣接する平行なフィルター要素３間に配置された吐出チューブ６と、フィルターの布４へと向かう方向以外の方向において配置された少なくとも１つの出口９と、その流出口９に接続された少なくとも１つの噴出ノズル５と、を具備し、噴出ノズル５への接続部１３が、概してフィルター要素３に対して平行に延在し、噴出ノズルが、そのフィルター要素３のフィルターの布４へと向かう方向において洗浄液体の吐出のための曲げられた偏向溝１４を具備する。
【００１７】
噴出ノズル５は、吐出チューブ６に直接配置されてもよいが、好適には、接続部１３は、少なくとも部分的に吐出チューブ６の周りに延在するアダプター１１の部分であり、噴出ノズル５は、アダプター１１に分離可能に配置される。
【００１８】
好適な実施形態によれば、洗浄装置２は少なくとも１つの噴出ノズル５で構成される。１又は複数の噴出ノズル５は、１又は複数の吐出チューブ６において配置されてもよい。噴出ノズル５は、必要な流れによって、同じ方向或いは異なる方向に向けられてもよい。噴出ノズル５の流出口開口部８は、好適には、フィルターの布から７ｃｍと８ｃｍとの間に配置されてもよく、噴出ノズル５からの洗浄液体の流れは、フィルターの布４の十分な部分をカバーする。
【００１９】
噴出ノズル５を備える吐出チューブ６は、例えばフィルター要素３の周縁部によって画成される外端部の領域内のフィルター３の径方向平面に対して平行に動かされてもよい。
【００２０】
同様に、吐出チューブ６は、吐出傾斜（図示せず）に配置される。吐出傾斜は、その少なくとも１つのフィルター要素３の周縁部の外側で、ディスクフィルター１の中心軸線（図示せず）に対して平行に延在する。少なくとも１つの吐出チューブ６は、吐出傾斜から延在し、２つの平行なフィルター要素３間で枢支され得るために回転可能に配置され、好適には、噴出ノズル５は、フィルターの布４の表面に対して垂直に配置される。それとは別に、噴出ノズル５は、フィルターの布４の表面に対して別の角度で配置されてもよい。更に流出口開口部４は、ある実施形態において、フィルターの布４に対して別の角度で方向付けられてもよい。
【００２１】
ディスクフィルターのフィルター要素は、概して１６ｃｍより長い間隔を有して配置される。好適な実施形態によれば、この間隔は、好適には１２ｃｍより短く減らされる。公知のディスクフィルターにおいて、吐出チューブは、約２ｃｍの径を有し、それぞれの流出口開口部とフィルターの布の表面との間に７ｃｍの間隔を備え、少なくとも１６ｃｍの２つの平行なフィルター要素間の間隔が必要となる。
【００２２】
図１に示されたように、噴出ノズル５の流出口開口部８は、フィルターの布４へと向かう方向との関係において、概して吐出チューブの中心軸線７の後方に配置されている。流出口開口部８を本実施形態による吐出チューブ６の中心軸線７の後方に配置することによって、間隔は、約１２ｃｍへと減らされてもよく、示された例示において、距離は、約１１ｃｍである。こうして、あらかじめ２４のフィルター要素を具備された公知のディスクフィルターは、例えばディスクフィルターの維持された長さで３０のフィルター要素を具備するように拡張されてもよい。従って、本発明によって、ディスクフィルターの容量を更に増すことが可能となるが、これは、ディスクフィルターの円筒部の長さがディスクフィルターの最大長さを制限していたため従来不可能だった。
【００２３】
図１に示されたように、噴出ノズル５それぞれのためのアダプター１１は、吐出チューブ６の周りで少なくとも部分的に配置され、それぞれのフィルターの布４との関係において吐出チューブ６の遠位側部を通して配置された流出口９を具備する。偏向溝１０は、アダプター１１を通して延在し、洗浄液体を流出口９から接続部１３へと案内する。ノズル５は、曲がった溝１４であって、流出口開口部８へと案内し、フィルターの布４の表面との関係において図１に示されるように吐出チューブ６の中心軸線７の後方に配置された曲がった溝１４を具備する。流出口開口部８は、それ自体において、好適には噴出ノズル５に一体化されており、必要に応じてより容易に洗浄され或いは交換されるため分離可能にアダプター１１に取り付けられている。好適には、２つの類似したアダプター１１は、ねじ又は類似した手段によって吐出チューブ６の周りで互いに取り付けられている。当然のことながら、それらは共に永久的に結合されてもよく、或いは、接着剤又は類似の方法によって吐出チューブと結合されてもよい。好適には、アダプター１１は、プラスチック材料で製造されてもよく、ノズル５は、プラスチックで製造されてもよく、且つ、好適には実際の流出口開口部８においてセラミック材料を含む。吐出チューブ６は、プラスチック又は金属で製造されてもよい。
【００２４】
図２ａから図２ｄにおいて、図１のアダプター１１の構成は、より明確に示され得る。偏向溝１０は、流出口９から接続部１３へと延在し、ノズル５を通って、流出口開口部８へと延在する。偏向溝１０は、アダプター１１を通る増加する断面を有して示されているが、一定の断面であってもよい。一体化された流出口開口部８又は分離されたノズルを備えるスリーブによって構成され得る噴出ノズル５は、差し込みカップリング１２によって分離可能にアダプター１１へと取り付けられる。この目的を達成するためにねじも使用され得る。シール（図示せず）がアダプター１１と噴出ノズル５との間の溝１５に配置されてもよい。接続部１３がフィルター要素に対して平行に延在するため、差し込みカップリングもこの方向に延在してもよく、フィルター要素に垂直な方向における距離に影響しない。通し穴１６及びソケット１７は、共に２つのアダプターが吐出チューブ（図示せず）の周りでねじ固定されることを可能とするために存在する。半円の凹部１８は、吐出チューブの外側に対応するように構成されるが、当然のことながら、凹部１８の他の形状も吐出チューブの他の形式のために想定され得る。
【００２５】
図３に示されるように、それぞれの噴出ノズル５のための対応するアダプター１１は、吐出チューブ６の周りに少なくとも部分的に配置され、吐出チューブ６の側部を通して配置された流出口９を具備し、流出口９から接続部１３へと洗浄液体を案内する。噴出ノズル５は、曲がった溝１４を具備し、その曲がった溝１４は、流出口開口部８へと案内し、それぞれの吐出チューブ６をシフトすることによって２つの隣接した平行なフィルター要素間の間隔の半分の距離よりも長い、フィルター要素からの距離で配置される。噴出ノズル５は、図１と同じ方法で構成され、従って、接続部がフィルター要素に対して平行に延在するため、差し込みカップリング１２は、更にこの方向において延在し、フィルター要素に垂直な方向における距離には影響しない。
【００２６】
当然のことながら、ここで説明された実施形態の変形は、添付された特許請求の範囲によって定義された本発明の範囲内で可能である。洗浄装置２は、別の方法で製造されてもよく、例えば吐出傾斜及び吐出チューブ６以外の構成要素で構成されてもよい。洗浄装置２は、記載したものより小さなサイズであってもよい。噴出ノズル５とフィルターの布４との間の距離を算出するために用いられたパラメータは、ここで記載したもの以外であってもよい。吐出傾斜又は吐出チューブ６のような装置の様々な部品は、可動な１部品又は組合せの複数の部品の両方であってもよい。更に、洗浄装置２は、ディスクフィルター１から離れた他の装置を洗浄するために用いられてもよい。
【図１】
0005902699.tif 000002
【図２ａ】
0005902699.tif 000003
【図２ｂ】
0005902699.tif 000004
【図２ｃ】
0005902699.tif 000005
【図２ｄ】
0005902699.tif 000006
【図３】
0005902699.tif 000007